(57)【要約】通信ネットワークにおける能力を管理する方法が、（ｉ）関連された組のサービス能力を有する指定されてないサービスの要求を受け取るステップと、（ｉｉ）指定されてないサービスに関連された組のサービス能力を与えるための少なくとも１つの制約が存在するかどうかを決定するステップと、（ｉｉｉ）少なくとも１つの制約が存在しないことに応答して関連された組の能力を動的に与えることにより選択されたサービスを確立するステップとを備える。
2004523987.tif 000002
【特許請求の範囲】
【請求項１】
サービス要求に応答して通信ネットワークにおける能力を管理する方法であって、
サービスのインスタンス化のため用いられる技術的パラメータの選択と関連する任意の制約を評価するステップと、
前記制約と一貫したサービスのインスタンス化のための技術的パラメータを選択するステップと、
前記の選択された技術的パラメータに合致するサービス能力を用いて、サービスを確立するステップと
を備える方法。
【請求項２】
サービス要求に応答して通信ネットワークにおける能力を管理する装置であって、
サービスのインスタンス化のため用いられる技術的パラメータの選択と関連する任意の制約を評価する手段と、
前記制約と一貫したサービスのインスタンス化のための技術的パラメータを選択する手段と、
前記の選択された技術的パラメータに合致するサービス能力を用いて、サービスを確立する手段と
を備える装置。
【請求項３】
通信ネットワークにおける能力を管理する方法であって、
関連された組のサービス能力を有する指定されてないサービスの要求を受け取るステップと、
前記指定されてないサービスに関連された組のサービス能力を与えるための少なくとも１つの制約が存在するかどうかを決定するステップと、
前記少なくとも１つの制約が存在しないことに応答して、関連された組の能力を動的に与えることにより選択されたサービスを確立するステップと
を備える方法。
【請求項４】
複数のサービス能力がサービスを与えるため要求され、且つ各サービス能力は、制約が存在するかどうかを決定するため評価される請求項３記載の方法。
【請求項５】
前記少なくとも１つの制約が、関連された組のサービス能力の少なくとも１つのサービス能力に応答して複数のゲートウエイから１つのゲートウエイを選択する第１の能力に対応する請求項３又は４記載の方法。
【請求項６】
関連された組のサービス能力の前記少なくとも１つのサービス能力がゲートウエイに関連する規則である請求項５記載の方法。
【請求項７】
ゲートウエイに関連する前記規則が、前記ゲートウエイの相互作用機能に基づいている請求項６記載の方法。
【請求項８】
前記相互作用機能が変換することである請求項７記載の方法。
【請求項９】
指定されてないサービスに関連された組のサービス能力を与えるための前記少なくとも１つの制約が、トラフィック・アクティビティの分析に応答して指定されてないサービスをサポートする第２の能力に対応する請求項１から８のいずれか一項に記載の方法。
【請求項１０】
指定されてないサービスに関連された組のサービス能力を与える前記少なくとも１つの制約が、端末の移動性を決定する分析に応答して要求されたサービスをサポートする第３の能力に対応する請求項１から９のいずれか一項に記載の方法。
【請求項１１】
指定されてないサービスに関連された組のサービス能力を与える前記少なくとも１つの制約が、端末に対して使用可能な資源の分析に応答して要求されたサービスをサポートする第４の能力に対応する請求項１から１０のいずれか一項に記載の方法。
【請求項１２】
指定されてないサービスが再構成されることができるかどうかを決定するステップを更に備える請求項１１記載の方法。
【請求項１３】
前記ネットワークによりサポートされた他のサービスを再構成するステップを更に備える請求項１２記載の方法。
【請求項１４】
サービス能力を選択した後で前記少なくとも１つのサービス能力を規定する少なくとも１つの技術的パラメータを選択するステップを更に備える請求項１から１３のいずれか一項に記載の方法。
【請求項１５】
呼の持続時間全体を通して前記少なくとも１つのサービス能力を規定する少なくとも１つの技術的パラメータを選択するステップを更に備える請求項１から１４のいずれか一項に記載の方法。
【請求項１６】
指定されてないサービスを確立するため前記ネットワークの交換及び送信機能を設定するステップを更に備える請求項１から１５のいずれか一項に記載の方法。
【請求項１７】
通信ネットワークにおける能力を管理する装置であって、
指定されてないサービスに関連された組のサービス能力を与えるための少なくとも１つの制約が存在するかどうかを決定し、且つ前記少なくとも１つの制約が存在しないことに応答して関連された組の能力を動的に与えることにより選択されたサービスを確立するよう構成されたサービス・サポート管理ユニットを備える装置。
【請求項１８】
前記サービス・サポート管理ユニットが、交換及び管理基盤施設にサービス信号送出インターフェースを介して接続されたサービス分析器ユニットを備える請求項１７記載の装置。
【請求項１９】
前記分析器ユニットが、サービス能力制御器にサービス能力制御器インターフェースを介して接続される請求項１８記載の装置。
【請求項２０】
相互接続制約器ユニットを更に備える請求項１７から１９のいずれか一項に記載の装置。
【請求項２１】
トラフィック管理ユニットを更に備える請求項１７から２０のいずれか一項に記載の装置。
【請求項２２】
移動性管理ユニットを更に備える請求項１７から２１のいずれか一項に記載の装置。
【請求項２３】
資源管理ユニットを更に備える請求項１７から２２のいずれか一項に記載の装置。
【請求項２４】
相互接続ゲートウエイ・ユニットを更に備える請求項１７から２３のいずれか一項に記載の装置。
【請求項２５】
前記相互接続ゲートウエイ・ユニットがゲートウエイ実行ユニット及びゲートウエイ・リスト記憶装置を備える請求項２４記載の装置。
【請求項２６】
前記相互接続ゲートウエイ・ユニットが更にゲートウエイ規則の記憶装置を備える請求項２４記載の装置。
【請求項２７】
請求項１７から２６のいずれか一項に記載の装置を備えるネットワーク・エンティテイ。
【請求項２８】
請求項１から１６のいずれか一項に記載の方法をコンピュータに実行させるコンピュータ・プログラム構成要素コンピュータ・プログラム・コード装置。
【請求項２９】
コンピュータ可読媒体上に埋め込まれた請求項２８記載のコンピュータ・プログラム構成要素。
【請求項３０】
図１から図３に実質的に記載された通信ネットワークにおける能力を管理する装置。
【請求項３１】
図４から図８を参照して実質的に記載された通信ネットワークにおける能力を管理する方法。
【発明の詳細な説明】
【技術分野】
【０００１】
［発明の分野］
本発明は、通信システムにおける能力を管理する方法及び装置、例えば、汎用移動通信システム（ＵＭＴＳ）のような、サービス自体よりむしろサービス能力が標準化されるシステムに関する。
【０００２】
［発明の背景］
前述のように、ＵＭＴＳ規格は、例えば、データ転送速度、ビット誤り率（ＢＥＲ）、レイテンシー（待ち時間）、遅延変動、及び音声電話のような基本的サービスの種類を標準化するのみで、サービス自体、即ちサービスの種類に対するサービス能力を標準化しない。これは、各通信サービスが一般的にビット・レベルに向けて標準化される移動通信用グローバル・システム（ＧＳＭ）とは対照的である。
【０００３】
欧州電気通信標準化協会（ＥＴＳＩ）３ＧＰＰ（第３世代パートナシップ・プロジェクト）は、所定数の通信サービス、例えば、音声電話及びテレビ電話に対する規定のサービス能力を指定した。しかしながら、３ＧＰＰ仕様は、制限されており、そして所定数のサービスの一部を形成しない他のサービスを提供しない。
【０００４】
［発明の概要］
本発明の第１の局面に従って、通信ネットワークにおける能力を管理する方法であって、関連された組のサービス能力を有する指定されてないサービスの要求を受け取るステップと、前記指定されてないサービスに関連された組のサービス能力を与えるための少なくとも１つの制約が存在するかどうかを決定するステップと、前記少なくとも１つの制約が存在しないことに応答して関連された組の能力を動的に与えることにより選択されたサービスを確立するステップとを備える方法が提供される。
【０００５】
前記少なくとも１つの制約は、関連された組のサービス能力の少なくとも１つのサービス能力に応答して複数のゲートウエイから１つのゲートウエイを選択する第１の能力に対応することが好ましい。関連された組のサービス能力の前記少なくとも１つのサービス能力がゲートウエイに関連する規則であることがより好ましい。ゲートウエイに関連する前記規則が、前記ゲートウエイの相互作用機能（ｉｎｔｅｒｗｏｒｋｉｎｇ  ｆｕｎｃｔｉｏｎ）に基づいていることが最も好ましい。前記相互作用機能が変換する（ｔｒａｎｓｃｏｄｉｎｇ）ことであることが非常に好ましい。
【０００６】
指定されてないサービスに関連された組のサービス能力を与えるための前記少なくとも１つの制約が、トラフィック・アクティビティの分析に応答して指定されてないサービスをサポートする第２の能力に対応することが好ましい。
【０００７】
指定されてないサービスに関連された組のサービス能力を与える前記少なくとも１つの制約は、端末の移動性を決定する分析に応答して要求されたサービスをサポートする第３の能力に対応することが好ましい。
【０００８】
指定されてないサービスに関連された組のサービス能力を与える前記少なくとも１つの制約は、端末に対して使用可能な資源の分析に応答して、要求されたサービスをサポートする第４の能力に対応することが好ましい。指定されてないサービスが再構成されることができるかどうかを決定するステップを更に備えることがより好ましい。前記方法が更に、前記ネットワークによりサポートされた他のサービスを再構成するステップを備えることが最も好ましい。
【０００９】
前記方法が更に、サービス能力を選択した後で前記少なくとも１つのサービス能力を規定する少なくとも１つの技術的パラメータを選択するステップを備えることが好ましい。
前記方法が更に、呼の持続時間全体を通して前記少なくとも１つのサービス能力を規定する少なくとも１つの技術的パラメータを選択するステップを備えることが好ましい。
【００１０】
前記方法が更に、指定されてないサービスを確立するため前記ネットワークの交換及び送信機能（ｆａｃｉｌｉｔｉｅｓ）を設定するステップを備えることが好ましい。
本発明の第２の局面に従って、前述した方法をコンピュータに実行させるコンピュータ・プログラム構成要素コンピュータ・プログラム・コード装置が提供される。
【００１１】
前記コンピュータ・プログラム構成要素がコンピュータ可読媒体上に埋め込まれていることが好ましい。
本発明の第３の局面に従って、通信ネットワークにおける能力を管理する装置であって、指定されてないサービスに関連された組のサービス能力を与えるための少なくとも１つの制約が存在するかどうかを決定し、且つ前記少なくとも１つの制約が存在しないことに応答して関連された組の能力を動的に与えることにより選択されたサービスを確立するよう構成されたサービス・サポート管理ユニットを備える装置が提供される。
【００１２】
前記サービス・サポート管理ユニットが、交換及び管理基盤施設にサービス信号送出インターフェースを介して接続されたサービス分析器ユニットを備えることが好ましい。前記分析器ユニットは、サービス能力制御器にサービス能力制御器インターフェースを介して接続されることがより好ましい。
【００１３】
前記装置が更に相互接続制約器ユニットを備えることが好ましい。
前記装置が更にトラフィック管理ユニットを備えることが好ましい。
前記装置が更に移動性管理ユニットを備えることが好ましい。
【００１４】
前記装置が更に資源管理ユニットを備えることが好ましい。
前記装置が更に相互接続ゲートウエイ・ユニットを備えることが好ましい。前記相互接続ゲートウエイ・ユニットがゲートウエイ実行ユニット及びゲートウエイ・リスト記憶装置を備えることがより好ましい。前記相互接続ゲートウエイ・ユニットが更にゲートウエイ規則の記憶装置を備えることが非常に好ましい。
【００１５】
本発明の第４の局面に従って、前述した装置を備えるネットワーク・エンティテイが提供される。
従って、ネットワーク基盤施設がサービス能力を標準化する通信システム例えばＵＭＴＳに対して要求される柔軟性のレベルを自律的且つ動的に管理することを可能にするに十分柔軟である通信装置及びそのための方法を提供することが可能である。また、本発明は、能力を管理する装置を備える通信システムにより、現在規定されていない他のサービスをサポートするのを可能にする。本発明は、使用可能なシステム資源の見方からサービス能力を管理することが可能である。
本発明の少なくとも１つの実施形態が、ここで添付図面を参照して一例として説明される。
【００１６】
［好適な実施形態の説明］
通信ネットワーク１００（図１）は、それぞれ少なくとも１つの移動局（ＭＳ）１０６、例えば、セルラ電話ハンドセット（送受話器）と無線周波数インターフェース１０８を介して通信することができる少なくとも１つの基地送受信機局（ＢＴＳ）１０４に接続された交換及び管理基盤施設１０２を備えるネットワーク・エンティテイを含む。
【００１７】
交換及び管理基盤施設１０２はまた、サービス・サポート管理ユニット１１０に、直接的に、またサービス能力制御器１１２を介して間接的に接続される。複数のゲートウエイ１１４がまた、交換及び管理基盤施設１０２に接続されている。
【００１８】
図２を参照すると、サービス・サポート管理ユニット１１０は、交換及び管理基盤施設１０２に接続されたサービス信号送出インターフェース（ｓｅｒｖｉｃｅ  ｓｉｇａｎｌｌｉｎｇ  ｉｎｔｅｒｆａｃｅ）２１２、及びサービス分析ユニット２０２を備え、当該サービス分析ユニット２０２はまた、サービス能力制御器インターフェース２１４に接続されている。サービス能力制御器インターフェース２１４は、サービス能力制御器１１２に接続されている。
【００１９】
相互接続制約器ユニット２０４、トラフィック管理ユニット２０６、移動性管理ユニット２０８及び資源管理ユニット２１０は、それぞれサービス分析ユニット２０２に接続されている。
【００２０】
ここで図３を参照すると、相互接続制約器ユニット２０４は、サービス分析ユニット２０２に接続されたゲートウエイ実行ユニット３００を備える。ゲートウエイ・リスト記憶装置３０２及びゲートウエイ規則記憶装置３０４はまた、それぞれゲートウエイ実行ユニット３００に接続され、当該ゲートウエイ規則記憶装置３０４には、複数のゲートウエイ制約規則セット３０６、３０８、３１０、３１２が格納されている。
【００２１】
ゲートウエイ・リスト記憶装置３０２は、ある一定の種類の通信サービスに対して使用可能なゲートウエイのそれぞれの適合性に関連する情報と一緒に使用可能ゲートウエイのリストを備える。例えば、アナログ公衆交換通信サービス（ＰＳＴＮ）へのゲートウエイ「Ａ」は、高速パケット・データ・サービスに適しているとして使用可能なゲートウエイのリストに指示されてないが、しかしゲートウエイ「Ａ」は、音声、ファクス、及び低速度データ・サービスに適しているとして指示されている。
【００２２】
複数のゲートウエイ制約規則セット３０６、３０８、３１０、３１２の各々は、それぞれ使用可能なゲートウエイの各々に対応する。ゲートウエイ制約規則セット３０６、３０８、３１０、３１２の各セットは、ゲートウエイの組み合わせ、又は対応のゲートウエイに対して可能である相互作用機能の知識に基づいている。相互作用機能は、情報を第１のフォーマットから第２の対応フォーマットに変換する機能である。例えば、移動音声通信システムにより搬送されるため、音声は、ボコーダを用いて１６キロビット／秒のデータ速度で符号化されることができる。しかしながら、１６キロビット／秒の符号化された音声信号を陸線電話機に接続のためゲートウエイ「Ｂ」に結合されているディジタルＰＳＴＮに配信するため、１６キロビット／秒音声信号は、ディジタルＰＳＴＮのため６４キロビット／秒パルス符号変調（ＰＣＭ）信号に変換（ｔｒａｎｓｃｏｄｅ）されねばならない。この変換能力の知識は、ゲートウエイ「Ｂ」に対するゲートウエイ制約規則を指定する際に用いられる。例えば、１６キロビット／秒音声のみが、ゲートウエイ「Ｂ」を用いるとき、要求された音声電話サービスのサポートに用いられることになり、そして８キロビット／秒の音声が用いられないことになる。
【００２３】
動作（図４）において、指定されてないサービスの要求は、サービス分析器ユニット２０２によりサービス信号送出インターフェース２１２を介して待たされる。指定されてないサービスは、標準化機関により１組の規定のサービス能力を持つよう予め決定されていないサービスである。なお、その標準化機関は、サービスの上記１組の規定のサービス能力を指定することができる任意のエンティテイとして定義される。
【００２４】
指定されてないサービスの要求を受け取ると直ぐに、相互接続制約器２０４は、サービスの要求を処理する（ステップ４０２）。図４を参照すると、ゲートウエイ実行ユニット３００は、ゲートウエイ・リスト３０２にアクセスして、使用可能なゲートウエイのリストからどのゲートウエイが要求されたサービスに適しているかを決定する。
【００２５】
第１の実施形態においては、１つ又はそれより多い適切なゲートウエイを選択してしまうと、ゲートウエイ実行ユニット３００は、適切なゲートウエイ制約規則を抽出し、そして更に要求されたサービスのための適切な規則を抽出する。次いで、ゲートウエイ実行ユニット３００は、サービス分析ユニット器２０２に、標準サービス構成要素の選択及びディメンジョニング（ｄｉｍｅｎｓｉｏｎｉｎｇ）に適用されねばならないゲートウエイの使用に起因した任意の制約を知らせる。ゲートウエイの選定が可能である場合、この選定はまた、各可能性のあるゲートウエイに対して関連された適切な制約を有するサービス分析器ユニット２０２に知らされる。
【００２６】
本発明の第２の実施形態においては、関連のゲートウエイは、ゲートウエイ・リスト記憶装置３０２から選択され（ステップ５００）、そして関連のゲートウエイの最初のものが選択される（ステップ５０２）。関連のゲートウエイの最初のものに対応するゲートウエイ制約規則セット３０６、３０８、３１０、３１２は、ゲートウエイ規則記憶装置３０４から抽出され（ステップ５０４）、そして要求されたサービスに関係する規則が更に抽出される。
【００２７】
次いで、ゲートウエイ実行ユニット３００は、サービス分析器ユニット２０２に、抽出されたゲートウエイの使用と関連した任意のそれぞれの制約を知らせる（ステップ５０６）。次いで、ゲートウエイ実行ユニット３００は、他の関連のゲートウエイが残っているかどうかを決定する（ステップ５０８）。他の関連のゲートウエイが残っている場合、別の関連のゲートウエイが選択される（ステップ５１０）。従って、ステップ５０４からステップ５０８までは、それ以上の関連のゲートウエイが残ってないようになるまで、他の関連のゲートウエイに関して反復される。２以上のゲートウエイがサービス分析器ユニット２０２に報告された場合（ステップ５１２）、サービス分析器ユニット２０２は、関連のゲートウエイの１つを、関係する規則、例えば、コスト、ゲートウエイ負荷に基づいて、又は無作為にさえ選択する（ステップ５１４）。一度適切なゲートウエイが選択されてしまうと（ステップ５１４）、相互接続制約器ユニット２０４は、サービス分析ユニット器２０２に、相互接続制約器ユニット２０４即ち使用可能なゲートウエイの見方から、要求されたサービスを供給することに向けての制約が無いことを知らせる（ステップ５１６）。無しの場合、又は唯１個の適切なゲートウエイが存在する場合、相互接続制約器ユニット２０４は、適切なゲートウエイが存在するかどうかを決定する（ステップ５１８）。１個の適切なゲートウエイが見つけられた場合、相互接続制約器ユニット２０４は、サービス分析器ユニット２０２に、相互接続制約器ユニット２０４即ち使用可能なゲートウエイの見方から、要求されたサービスを供給することに向けての制約が無いことを知らせる（ステップ５１６）。さもなければ、相互接続制約器ユニット２０４は、サービス分析器ユニット２０２に、適切なゲートウエイが存在しないこと、及び要求されたサービスを供給することに向けての制約が存在することを知らせる（ステップ５２０）。
【００２８】
図４に戻って参照すると、サービス分析器ユニット２０２がサービスの要求を処理する間、トラフィック・マネジャー・ユニット２０６は、ＭＳ１０６及び通信ネットワーク１００の全体的トラフィック・アクティビティをモニタし（ステップ４０４）、そして図６を参照すると、新しく到来する呼、例えば、到来マルチメディア呼がＭＳ１０６のため存在するときを決定する（ステップ６００）。トラフィック・マネジャー・ユニット２０６は、ＭＳ１０６が既に別のマルチメディア呼に参加していると決定した場合（ステップ６０２）、トラフィック・マネジャー・ユニット２０６は、サービス分析器器ユニット２０２に、マルチメディア呼が直ちには供給されるべきでないことを知らせる（ステップ６０４）。この情報に基づいて、サービス分析器ユニット２０２は、要求されたサービスの選択と、ビジー・サービスが到来マルチメディア呼のような新しいサービスの展開のため自由になるよう要求されたサービスの標準サービス能力を規定する技術的パラメータの選択（時に「ディメンジョニング」として知られる。）を遅延させることができる。一度ビジー・サービスが自由になると、指定されてないサービスの１組のサービス能力が構成され（ステップ６０６）、そしてトラフィック管理ユニット２０６は、サービス分析器ユニット２０２に、トラフィック管理ユニット２０６即ちトラフィック負荷情報の見方から、要求されたサービスを供給することに向けての制約が無いことを知らせる（ステップ６０８）。
【００２９】
図４に戻って参照すると、移動性管理ユニット２０８は、サービス分析器ユニット２０２からの要求の際に、例えば、サービスの要求が処理されつつあり且つトラフィック・アクティビティがモニタされつつあると同時に、ＭＳ１０６についての移動性状態情報を提供するよう構成される（ステップ４０６）。次いで、サービス分析器ユニット２０２は、ＭＳ１０６に対して使用可能にされることができるサービスを識別することができる。
【００３０】
図７を参照すると、移動性管理ユニット２０８は、ＭＳ１０６の移動性をモニタし（ステップ７００）、そしてサービス分析ユニット器２０２がＭＳ１０６についての移動性状態情報を要求するときを決定する（ステップ７０２）。次いで、移動性管理ユニット２０８は、要求されているサービスがＭＳ１０６の移動性に適合しているかどうかを決定する（ステップ７０４）。例えば、自動車で非常に速く移動するユーザは、困難なハンドオーバを伴うサービス能力に対するアクセスを与えられないことがあり得る。要求されているサービスがＭＳ１０６の移動性に適合しない場合、移動性管理ユニット２０８は、要求されているサービスが再構成されることができるかどうかを決定する（ステップ７０６）。例えば、非常に速く移動するユーザがビデオ及びテキスト・サービスを受け取るのを望む場合、サービス分析器ユニット２０２は、テキストとビデオ画像を別々に送信する代わりに、無線周波数インターフェース１０８を介した送信の前に、テキストをビデオ画像の中に埋め込み、それによりハンドオーバの複雑さを低減することができる。次いで、埋め込まれたテキストは、当該技術で既知の画像認識技術を用いて受信の際に抽出されることができる。要求されているサービスが再構成されることができる場合、そのサービスは再構成され（ステップ７０８）、そうでない場合には、移動性管理ユニット２０８は、サービス分析器ユニット２０２に、要求されたサービスの供給に向けての制約が存在することを知らせる（ステップ７１０）。一度サービスが再構成されてしまうと、又はサービスが既にＭＳ１０６の移動性に適合している場合には、移動性管理ユニット２０８は、サービス分析器ユニット２０２に、移動性管理ユニット２０８即ちＭＳ１０６の移動性の見方から、要求されたサービスを供給することに向けての制約が無いことを知らせる（ステップ７１２）。
【００３１】
同時に、（図４）、資源管理ユニット２１０は、所与の時点で使用可能な資源を決定するため、サービス分析器２０２によりアクセスされることができる（ステップ４０８）。資源管理ユニット２１０は、サービス信号送出インターフェース２１２を介した交換及び管理基盤施設１０２からの資源の即座の使用及び可用性についての情報、例えば、セルの加入者の数、所与の期間にセルに入る加入者の数、所与の期間にセルを離れる加入者の数、セル又はノイズ・フロアでの無線周波数性能のような、内部で発生された情報に対するリアルタイムでのアクセスを有する。資源管理ユニット２１０は、資源の使用における動向、例えば、移動通信ネットワーク１００における全体的トラフィック・レベルに対する変化をモニタする。資源可用性情報の例には、受信された信号対雑音比（ＳＮＲ）、トラフィックのための通信ネットワーク１００における残っている使用可能な容量、及び／又は通信ネットワーク１００にアクセスするためのランダム・アクセス試行の割合（レート）が含まれる。
【００３２】
資源管理ユニット２１０は、資源可用性及び動向をモニタし（ステップ８００）、そしてサービス分析器ユニット２０２が資源状態情報を要求するときを決定する（ステップ８０２）。資源状態情報がサービス分析器ユニット２０２により要求される場合、資源管理ユニット２１０は、要求された資源が要求されたサービスに適合するかどうかを決定する（ステップ８０４）。要求されたサービスがその資源に適合する場合、資源管理ユニット２１０は、サービス分析器ユニット２０２に、資源管理ユニット２１０即ち資源可用性及び使用の見方から、要求されたサービスを供給することに向けての制約が無いことを知らせる（ステップ８０６）。そうでない場合、資源管理ユニット２１０は、サービスが再構成されることができるかどうかを決定する（ステップ８０８）。サービスが再構成されることができる場合、そのサービスは再構成され（ステップ８１０）、そして資源管理ユニット２１０は、サービス分析器ユニット２０２に、資源管理ユニット２１０即ち資源可用性及び使用の見方から、要求されたサービスを供給することに向けての制約が無いことを知らせる（ステップ８０６）。サービスが再構成されることができない場合、資源管理ユニット２１０は、その資源管理ユニット２１０が要求されたサービスに適応する（ａｃｃｏｍｍｏｄａｔｅ）のを可能にするように他のサービスが再構成することができるかどうかを決定する（ステップ８１２）。他のサービスが再構成されることができない場合、資源管理ユニット２１０は、サービス分析器ユニット２０２に、要求されたサービスの供給に向けての制約が存在することを知らせ（ステップ８１４）、そうでない場合には、他のサービスが再構成され（ステップ８１６）、そして資源管理ユニット２１０は再び、要求されたサービスにより要求された資源が再構成されたサービスに適合するかどうかを決定し（ステップ８０４）、そして再構成された他のサービスに関して前述した分析を反復する（必要ならば、ステップ８０８から８１６）。
【００３３】
本発明の第１の実施形態に従って、相互接続制約器ユニット、トラフィック管理ユニット、移動性マネジャー・ユニット及び資源管理ユニットにより与えられる情報を考慮に入れてしまうと、サービス分析器ユニットは、要求されたサービスのサポートに用いられるため、サービス能力又は技術的パラメータを選択し且つディメンジョニングするであろう。この選択及び関連のディメンジョン（ｄｉｍｅｎｓｉｏｎｓ）は、サービス能力制御器ユニットにサービス能力制御器インターフェースを介して通される。要求されたサービスの寿命全体を通して、サービス・サポート管理ユニットは、標準サービス能力の選択及びディメンジョニングを呼の間に、時々生じる制約及び機会に従って修正することによりサービスを維持することができる。
【００３４】
サービス能力制御器ユニットは、サービス・サポート管理ユニットから命令を受信してしまうと、そのサービス・サポート管理ユニットにより指図されたディメンジョンにおいて、選択されたサービス能力を確立する。ネットワークの交換及び伝送施設は、要求されたサービスに直接基づくよりむしろ選定されたサービス能力に基づくとはいえ、要求されたサービスを提供するため通常の方法で設定される。
【００３５】
本発明の第２の実施形態に従って、そして図４に戻って参照すると、相互接続制約器ユニット２０４、トラフィック管理ユニット２０６、移動性管理ユニット２０８及び資源管理ユニット２１０のそれぞれが、サービス分析器ユニット２０２に、要求されたサービスが供給されるのに制約が無いという指示を与える場合（ステップ４１０）、サービス分析ユニット２０２は、要求されているサービスの供給を許可する（ステップ４１２）。さもなければ、その指示が、相互接続制約器２０４、トラフィック管理ユニット２０６、移動性管理ユニット２０８及び資源管理ユニット２１０のうちの１つから受け取られない場合、サービス分析器ユニット２０２は、要求されているサービスを落とす（又は断る）（ステップ４１４）。
【００３６】
勿論、本発明の第１及び第２の実施形態は一緒に実行され得る。
上記の例は、通信ネットワーク１００に対して外部の資源が要求されていることを仮定している。しかしながら、通信ネットワーク１００に対して外部の資源が要求されない場合、サービス分析器ユニット２０２は、相互接続制約器２０４に、サービスの供給に向けてのいずれの制約について、ゲートウエイ実行ユニット３００の見方から、いずれの情報を与えることを要求しない。通信ネットワーク１００に対する資源が要求されない状況においては、トラフィック管理ユニット２０６、移動性管理ユニット２０８、又は資源管理ユニット２１０がパラメータの変化、例えばビット・レートをデフォルト設定から要求しない場合、デフォルト設定が採用される。
【００３７】
本発明の代替実施形態は、コンピュータ・システムと使用のコンピュータ・プログラム製品として実現されることができる。そのコンピュータ・プログラム製品は、例えば、ディスケット、ＣＤ−ＲＯＭ、ＲＯＭ又は固定ディスクのような有形のデータ記録媒体に格納された一連のコンピュータ命令であり、又はコンピュータ・データ信号に埋め込まれ、そのコンピュータ・データ信号は、有形媒体、又は無線媒体、例えばマイクロ波又は赤外線を介して伝送される。一連のコンピュータ命令は、前述の機能の全部又は一部を構成することができ、そしてまた半導体、磁気、光学的又は他の記憶装置のような揮発性又は不揮発性の任意の記憶装置に格納されることができる。
【図面の簡単な説明】
【００３８】
【図１】図１は、本発明の一実施形態を構成する通信ネットワークの概略図である。
【図２】図２は、図１のネットワークの構成要素の概略図である。
【図３】図３は、図１のネットワークの別の構成要素の概略図である。
【図４】図４は、図２及び図３の構成要素の動作のフロー図である。
【図５】図５は、図４のステップのより詳細なフロー図である。
【図６】図６は、図４の別のステップのより詳細なフロー図である。
【図７】図７は、図４の更に別のステップをより詳細に示すフロー図である。
【図８】図８は、図４の更に別のステップをより詳細に示すフロー図である。
【図１】
2004523987.tif 000003
【図２】
2004523987.tif 000004
【図３】
2004523987.tif 000005
【図４】
2004523987.tif 000006
【図５】
2004523987.tif 000007
【図６】
2004523987.tif 000008
【図７】
2004523987.tif 000009
【図８】
2004523987.tif 000010
【国際公開パンフレット】
2004523987.tif 000011
2004523987.tif 000012
2004523987.tif 000013
2004523987.tif 000014
2004523987.tif 000015
2004523987.tif 000016
2004523987.tif 000017
2004523987.tif 000018
2004523987.tif 000019
2004523987.tif 000020
2004523987.tif 000021
2004523987.tif 000022
2004523987.tif 000023
2004523987.tif 000024
2004523987.tif 000025
2004523987.tif 000026
2004523987.tif 000027
2004523987.tif 000028
2004523987.tif 000029
2004523987.tif 000030
2004523987.tif 000031
2004523987.tif 000032
2004523987.tif 000033
2004523987.tif 000034
【国際公開パンフレット（コレクトバージョン）】
2004523987.tif 000035
【国際調査報告】
2004523987.tif 000036
2004523987.tif 000037
2004523987.tif 000038